(57)【要約】  【課題】写真処理装置における処理形態に応じて、オーダー情報表示画面もしくは機械情報表示画面の何れか適切な方の画面を自動的に選択表示する機能を実現すること。  【解決手段】本発明の写真処理装置においては、別途確定された写真処理すべき写真用画像データおよび前記写真用画像データに関するオーダー情報を外部から通信媒体を介して受け付ける外部入力手段と、写真処理すべき写真用画像データおよび前記写真用画像データに関するオーダー情報を操作者が操作して受け付ける操作入力手段と、機械情報もしくはオーダー情報を表示する情報表示手段とを備えた写真処理装置において、前記外部入力手段にて受け付けた写真用画像データを処理する場合には、前記情報表示手段にはオーダー情報の表示を禁止するように情報表示手段を制御する表示制御手段を備えた。【選択図】      図２
2007171619.tif 000002
【特許請求の範囲】
【請求項１】
別途確定された写真処理すべき写真用画像データおよび前記写真用画像データに関するオーダー情報を外部から通信媒体を介して受け付ける外部入力手段と、写真処理すべき写真用画像データおよび前記写真用画像データに関するオーダー情報を操作者が操作して受け付ける操作入力手段と、感光材料が収納されたマガジンから順次引き出した感光材料に、前記外部入力手段もしくは前記操作入力手段にて受け付けた写真用画像データを露光する露光部と、露光済の感光材料を薬液処理によって現像処理する現像部と、前記マガジンの感光材料の状況もしくは薬液処理中の感光材料の状況の少なくとも何れか一方の状況に応じた情報を表示する機械情報表示機能およびオーダー情報を表示するオーダー情報表示機能を実現する情報表示手段と、を備えた写真処理装置において、
前記外部入力手段にて受け付けた写真用画像データを処理する場合には、前記情報表示手段にはオーダー情報の表示を禁止するように情報表示手段を制御する表示制御手段を備えていることを特徴とする請求項１に記載の写真処理装置。
【請求項２】
請求項１に記載の写真処理装置に、さらに、前記露光部および前記現像部の処理状況を認識する認識手段を備えるとともに、
前記表示制御手段は、
前記外部入力手段にて受け付けた写真用画像データを処理する場合には、前記情報表示手段にはオーダー情報の表示を禁止し、
前記操作入力手段にて受け付けた写真用画像データを処理する場合には、
前記認識手段にて認識している処理状況に基づいて機械情報もしくはオーダー情報の何れの情報を情報表示手段に表示すべきか判断して、機械情報を表示すべきと判断したときには情報表示手段に機械情報を表示させ、前記判断手段がオーダー情報を表示すべきと判断したときには情報表示手段にオーダー情報を表示させるように情報表示手段を制御するように構成されていることを特徴とする写真処理装置。
【発明の詳細な説明】
【技術分野】
【０００１】
本発明は、マガジンの残量などの機械情報や、オーダー情報などを切り換え表示する機能を備えた写真処理装置に関するものである。
【背景技術】
【０００２】
フィルムスキャナや各種記録媒体から読み取った写真用画像データを、印画紙などの感光材料に露光する露光部と、露光済の感光材料を薬液処理によって現像処理する現像部とを備えた写真処理装置において、前記感光材料はロール状に巻かれたマガジンから随時必要に応じて引き出されて露光され、露光済の印画紙は現像部中の複数種類の薬液中を順次搬送されて化学的に現像処理された後、乾燥処理等施されて順次排出される。
このような写真処理装置において、前記マガジンの残量などの状況は外部から視認することはできないので、各種センサーや積算処理量等に基づいて算出された残量を、モニター画面に表示する機能を備えたものがある。
また、露光済の印画紙が現像部のどの部分を搬送されて処理中であるかを、オーダーごとにモニター画面に表示する機能を備えたものがある。
以上のような写真処理装置の機械的な状況をモニター表示する機能を機械情報表示機能と称し、機械情報を表示する画面を機械情報表示画面と称する。
また、現在処理中のオーダーがどのような条件で処理されているかに関する情報、すなわちオーダー情報（オーダーナンバー、プリント枚数、インデックスの出力枚数等）を、モニター画面に表示する機能を備えたものがある。このようなオーダー情報をモニター表示する機能をオーダー情報表示機能と称し、オーダー情報を表示する画面をオーダー情報表示画面と称する。
【発明の開示】
【発明が解決しようとする課題】
【０００３】
ところが、上述したような従来の写真処理装置の情報表示用のモニター画面は広くはなく、その上、処理条件などを設定するためのメニュー画面なども表示しなければならないので、機械情報とオーダー情報とを同時に並べて表示することは困難であった。
そのため、操作者が必要に応じて、どちらの情報を表示させるかを、タッチパネルやマウスやキーボードなどを操作して指示しなければならないという問題があった。
そのため、インターネットなどの通信媒体を経由して写真用画像データとオーダー情報とを受け付けてプリント出力するような形態や、コンビニエンスストアの店頭などに設置されたディジタルメディア店頭受付機などの受付端末機を介して写真用画像データとオーダー情報とを受け付けてプリント出力するような形態などの場合には、オーダーを受け付けた時点でオーダー情報は確定しているために、操作者はオーダー情報を改めて確認する必要はないにもかかわらず、オーダー情報が表示されている場合があるので、いちいち機械情報を表示させるように操作して指示しなければならないという問題があった。
【０００４】
そこで、本発明は、写真処理装置における処理形態に応じて、オーダー情報表示画面もしくは機械情報表示画面の何れか適切な方の画面を自動的に選択表示する機能を実現することを目的としてなされたものである。
【課題を解決するための手段】
【０００５】
本発明にかかる請求項１の写真処理装置においては、
別途確定された写真処理すべき写真用画像データおよび前記写真用画像データに関するオーダー情報を外部から通信媒体を介して受け付ける外部入力手段と、写真処理すべき写真用画像データおよび前記写真用画像データに関するオーダー情報を操作者が操作して受け付ける操作入力手段と、感光材料が収納されたマガジンから順次引き出した感光材料に、前記外部入力手段もしくは前記操作入力手段にて受け付けた写真用画像データを露光する露光部と、露光済の感光材料を薬液処理によって現像処理する現像部と、前記マガジンの感光材料の状況もしくは薬液処理中の感光材料の状況の少なくとも何れか一方の状況に応じた情報を表示する機械情報表示機能およびオーダー情報を表示するオーダー情報表示機能を実現する情報表示手段と、を備えた写真処理装置において、
前記外部入力手段にて受け付けた写真用画像データを処理する場合には、前記情報表示手段にはオーダー情報の表示を禁止するように情報表示手段を制御する表示制御手段を備えるという手段を講じた。
【０００６】
請求項２では、請求項１に記載の写真処理装置に、さらに、前記露光部および前記現像部の処理状況を認識する認識手段を備えるとともに、
前記表示制御手段は、
前記外部入力手段にて受け付けた写真用画像データを処理する場合には、前記情報表示手段にはオーダー情報の表示を禁止し、
前記操作入力手段にて受け付けた写真用画像データを処理する場合には、
前記認識手段にて認識している処理状況に基づいて機械情報もしくはオーダー情報の何れの情報を情報表示手段に表示すべきか判断して、機械情報を表示すべきと判断したときには情報表示手段に機械情報を表示させ、前記判断手段がオーダー情報を表示すべきと判断したときには情報表示手段にオーダー情報を表示させるように情報表示手段を制御するように構成した。
【発明の効果】
【０００７】
本発明の写真処理装置によれば、外部入力手段を介してインターネット経由やディジタルメディア店頭受付機などから受け付けたオーダーを処理する場合には、情報表示手段にはオーダー情報の表示を禁止するので、不必要なオーダー情報に気を取られることなく、必要な情報のみが表示される。
なお、操作入力手段にて受け付けたオーダーを処理する場合には処理状況に応じて機械情報もしくはオーダー情報の何れか必要な情報の方を自動的に切り換えて表示するので、操作者がいちいち切り換え操作をしなくても、必要なタイミングで必要な情報が自動的に表示され、操作性が向上し、重要な情報も見落としも防止できる。
【発明を実施するための最良の形態】
【０００８】
以下に、本発明にかかる写真処理装置を、その実施の形態を示した図面に基づいて詳細に説明する。
図１にブロック図で示した写真処理装置１において、
２は露光部であり、後述する外部入力部９や操作入力部７から受け付け入力した写真用画像データを、レーザー露光エンジンなどの露光機構によって印画紙などの感光材料に露光する。
３はマガジン部であり、例えば３つのマガジン３Ａ，３Ｂ，３Ｃをセットすることが可能であり、各マガジンから感光材料をそれぞれ順次引き出して前記露光部２に供給する。
４は現像部であり、前記露光部２において露光処理された感光材料を、複数の薬液を用いて順次化学処理して現像処理する。
５は乾燥排出部であり、前記現像部４で現像処理された感光材料を乾燥させて順次排出トレイ上に排出する。
【０００９】
６は制御部であり、前記露光部２、マガジン部３、現像部４、および乾燥排出部５を系統的に制御するとともに、処理すべき写真用画像データやオーダー情報などを相互に関連付けして記憶できるように、大容量のハードディスクなどの記憶装置を内蔵している。
７は操作者が操作する操作入力部であり、顧客が持ち込んだ各種記録媒体や現像済の写真フィルムなどから、出力処理すべき写真用画像データを読み取って当該写真処理装置の前記制御部６に入力できるように、各種記録媒体の読み書き装置や、フィルムスキャナなどを備えている。また、出力処理すべきプリント枚数などのオーダー情報も前記制御部６に入力できるようにマウス、キーボード、または後述する表示部８に一体に配設されたタッチパネルなどを備えている。
８は表示部であり、前記制御部６から出力される各種情報を文字および図形で表示するように構成されている。
【００１０】
９は外部入力部であり、インターネットなどの通信媒体を介して接続された個人のパソコンや、コンビニエンスストアの店頭などに設置されたディジタルメディア店頭受付機などの情報機器から送信されてきた写真用画像データや、プリント出力する条件を規定するオーダー情報を、自動的に受け付けて当該写真処理装置に入力するように構成されている。
【００１１】
前記マガジン部３には各マガジンの装着状態を認識するセンサ類３Ｓが配設され、前記現像部４には各搬送工程の途中の数カ所に処理中の感光材料の有無を認識するセンサ類４Ｓが配設され、前記乾燥排出部５には排出準備中の感光材料の有無を認識するセンサ類５Ｓが配設されている。
これらの各センサ類４Ｓ，５Ｓにて認識される感光材料の存在位置に関する情報と、処理中のオーダーごとのプリント枚数や、露光部２における露光処理中の写真用画像データのコマ番号に関する情報とに基づいて、前記制御部６は、各オーダーごとに最初のプリントおよび最後のプリントが現像部４もしくは乾燥排出部５の何れの位置にあるかを判断して位置情報して出力する。
【００１２】
また、前記制御部６は、前記センサ類３Ｓにて認識されるマガジンの装着状態と、新規マガジンの全長データと、プリント処理枚数の積算処理量などに基づいて、各マガジンごとに、感光材料の残量を算出して残量情報として出力する。
前記表示部８においては、このようにして出力された各オーダーごとのプリントの位置情報や、各マガジンごとの残量情報を機械情報として前記表示部８の所定領域に設定された機械情報表示画面に表示することができる。このような機能を機械情報表示機能と称する。
【００１３】
また、前記表示部８においては、現在処理中のオーダーがどのような条件で処理されているかに関する情報、すなわちオーダー情報（オーダーナンバー、プリント枚数、インデックスの出力枚数等）を、前記表示部８における機械情報表示画面に代えてオーダー情報表示画面として表示することができる。このような機能をオーダー情報表示機能と称する。
なお、前記表示部８の表示画面に、機械情報表示画面もしくはオーダー情報表示画面の何れの画面を表示するかは表示制御部８１が決定する。
【００１４】
この表示制御部８１は、オーダー情報の表示を禁止する機能と、オーダー情報と機械情報とを状況に応じて自動的に選択して表示する機能とを備えている。
まず、オーダー情報の表示を禁止する機能は、処理中のオーダーが、操作入力部７から操作者によって入力処理されたものである場合には無効となって機能せず、外部入力部９から自動的に入力処理されたものである場合には有効に機能して、オーダー情報の表示を禁止するものである。外部入力部９から自動的に入力処理された場合には、オーダー情報は、インターネットなどの通信媒体を介して接続されたパソコンやディジタルメディア店頭受付機においてすでに確定しているから、操作者が改めて確認する必要はないので、オーダー情報を表示する必要はないのである。
【００１５】
次に、オーダー情報と機械情報とを状況に応じて自動的に選択して表示する機能は、処理中のオーダーが、操作入力部７から操作者によって入力処理されたものである場合に機能するものであり、前記制御部６から出力される位置情報が、各オーダーの最後のプリントが乾燥排出部５の位置にあることを示しているときには、オーダーが変わりＤＰ袋にプリント枚数やオーダー番号などを記入するタイミングであるので、オーダー情報を情報表示手段に表示すべきであると判断して、前記表示部８の表示画面に自動的にオーダー情報表示画面に切り換えて表示させる。
そして、上記以外の場合、例えば、処理中のプリントのうち、最初のプリントまたは最後のプリントが乾燥排出部５の位置にあることを示しているときや、何れかのマガジンの残量が予め設定された基準量以下になったときには、マガジンの残量などを確認すべきタイミングであるので、機械情報を表示すべきであると判断して、前記表示部８の表示画面を自動的に機械情報表示画面に切り換えて表示させる。
【００１６】
以上の動作を図２のフローチャートを参照して以下に説明する。
まず、ステップ１においては、表示制御部８１は、処理中のオーダーが、外部入力部９から入力処理されたものであるか、操作入力部７から操作者によって入力処理されたものであるかをチェックする。このチェックは、自動的に発行されるオーダー番号の違いで判断することができるように設定されている。そして、外部入力部９から入力処理されたものである場合にはステップ２へ進み、操作入力部７から入力処理されたものである場合にはステップ３へ進む。
ステップ２では、オーダー情報の表示を禁止して、必要に応じて機械情報を表示する。  ステップ３では、前記センサ類からの信号を参照して、当該写真処理装置１の内部における処理状況を認識して、処理状況に応じて表示すべき情報が機械情報であるのか、またはオーダー情報であるのかを、上述したように予め設定された判断条件に基づいて自動的に判断する。
ステップ３で機械情報を表示すべき状況であると判断された場合にはステップ４で機械情報表示画面に切り換え、ステップ３でオーダー情報を表示すべき状況であると判断された場合にはステップ５でオーダー情報表示画面に切り換える。
【００１７】
以上のように、表示されるべき情報が自動的に判断されて表示されるので、操作者は、外部入力部９から入力処理されたオーダーを処理しているときには不必要なオーダー情報が表示されることはなく、操作入力部７から操作者によって入力処理されたものである場合には処理状況に応じて適した方の情報が自動的に表示されるので、操作者は情報表示画面の切り換え操作をする手間が省けるとともに、重要な情報を見落とすことも防止できる。
【実施例１】
【００１８】
図３は表示部８の表示画面の１例を示したものであり、画面上部のメニュー画面８６には、種々の処理パターンを選択するための選択ボタンが表示されている。
画面の左下部には、情報表示領域８２が設定されており、図３の例では機械情報が表示される機械情報表示画面８Ａに切り換えられている状態を示している。
画面の最下部には、表示切り換えボタン８３が表示されている。
【００１９】
図４は前記情報表示領域８２に表示された機械情報表示画面８Ａの１例を示したものであり、右部には当該写真処理装置１の概略図が模式的に図示され、マガジン部に装着されている２つのマガジン３Ａ，３Ｂが模式的に図示され、現像部および乾燥排出部の処理工程を順次搬送されている各プリントが丸印で模式的に表示されている。
また、左部には前記２つのマガジン３Ａ，３Ｂの状況が数値で表示されている。この表示例では、マガジン３Ａは現在使用中であり、感光材料のサイズが８９ミリ、残量が２４０メートルであることが表示され、マガジン３Ｂは現在使用中でないことが示され、サイズが１２７ミリ、残量が１２０メートルであることが表示されている。
また、各マガジンの情報を変更する画面を呼び出すための変更ボタン８４も表示されている。
【００２０】
オーダー情報表示画面が表示されているときに、前記表示切り換えボタン８３の「機械表示」の部分をタッチパネルやマウスやキーボードで指定して切り換え操作すると、強制的に機械情報表示画面に切り換えられる。
処理中のオーダーが、外部入力部９から自動的に入力処理されたものである場合には、前記表示制御部８１によってオーダー情報の表示は禁止されているので、前記表示切り換えボタン８３の「オーダー情報」の部分は薄く表示されているか、×マークが重ねて表示されて、機能しない状態であることが示されている。
処理中のオーダーが、操作入力部７から操作者によって入力処理されたものである場合には、オーダー情報表示画面と機械情報表示画面とは自動的に切り換えられるが、機械情報表示画面が表示されているときに、前記表示切り換えボタン８３の「オーダー情報」の部分をタッチパネルやマウスやキーボードで指定して切り換え操作すると、強制的にオーダー情報表示画面に切り換えることができる。
【００２１】
図５は前記情報表示領域８２に表示されたオーダー情報表示画面８Ｂの１例を示したものであり、ここでは、確定しているオーダー情報の内、最新のオーダーに関するオーダー情報が表示され、次のオーダーが確定するまで表示される。
図５の例では、処理中のオーダーナンバーが「２６３」であること、プリント枚数がトータルで５０枚であること、サービスサイズが４０枚、パノラマサイズが６枚プリントされていることが表示され、インデックスプリントが２枚、記録メディアが１枚、価格シートが１枚出力されていることが表示されている。
また、処理済のオーダーの履歴情報を表示させるための履歴ボタン８５も表示されている。
【００２２】
以上のように、処理中のオーダーが操作入力部７から入力処理されたものである場合には前述したように表示画面は自動的に切り換えて表示され、また、強制的に切り換えて表示させることもできるが、処理中のオーダーが外部入力部９から入力処理されたものである場合にはオーダー情報の表示は禁止されるのである。
すなわち、外部入力部９から入力処理されたオーダーを処理しているときには不必要なオーダー情報が表示されることはないので、機械情報表示画面のみをチェックすればよい。
一方、操作入力部７から入力処理されたオーダーを処理しているときには、オーダーが変わりＤＰ袋にオーダー番号などを記入するタイミングに近づいたら自動的に前記表示部８の表示画面に図５のオーダー情報表示画面８Ｂを表示させる。
そして、上記以外の場合、例えば、処理中のプリントのうち、最初のプリントまたは最後のプリントが乾燥排出部５の位置にあることを示しているときや、何れかのマガジンの残量が予め設定された基準量以下になったときには、マガジンの残量などを確認すべきタイミングであるので、機械情報を表示すべきであると判断して、前記表示部８の表示画面を自動的に、図４の機械情報表示画面８Ａを表示させる。
【００２３】
なお、何れかのマガジンの残量が前記基準量以下の交換要求量以下になったときには、前記表示画面の全面に、例えば赤色などで「警告！マガジンを交換して下さい。」などと表示する。
【図面の簡単な説明】
【００２４】
【図１】本発明にかかる写真処理装置の実施の形態のブロック図である。
【図２】前記写真処理装置の表示制御部８１の動作を説明するフローチャートである。
【図３】前記写真処理装置の表示画面の１例である。
【図４】前記表示画面に表示される機械情報表示画面の１例である。
【図５】前記表示画面に表示されるオーダー情報表示画面の１例である。
【符号の説明】
【００２５】
１  写真処理装置
２  露光部
３  マガジン部、マガジン３Ａ，３Ｂ，３Ｃ
４  現像部
５  乾燥排出部
６  制御部
７  操作入力部
８  表示部、情報表示手段
８１  表示制御部、表示制御手段
９  外部入力部
３Ｓ，４Ｓ，５Ｓ  センサ類、認識手段
【図１】
2007171619.tif 000003
【図２】
2007171619.tif 000004
【図３】
2007171619.tif 000005
【図４】
2007171619.tif 000006
【図５】
2007171619.tif 000007